(57)【特許請求の範囲】
【請求項１】
無線通信を行う無線通信システムにおいて、
端末から送信される上りデータに対し、前記上りデータの品質である上り品質を測定する上り品質測定部と、前記上り品質と基準値との比較結果にもとづいて、前記上りデータの送信可否を判定し、送信可否信号を送信する送信可否判定部と、から構成される基地局と、
ダイバーシチハンドオーバによって接続している複数の前記基地局から送信された前記送信可否信号を受信する送信可否信号受信部と、前記送信可否信号にもとづき、送信拒否をする基地局がないと認識した場合に限り、前記上りデータの送信を行う上りデータ送信制御部と、から構成される端末と、
を有することを特徴とする無線通信システム。
【請求項２】
前記上り品質測定部は、前記上り品質として干渉量を測定し、前記送信可否判定部は、前記干渉量が前記基準値を下回る場合に、前記上りデータを送信許可とすることを特徴とする請求項１記載の無線通信システム。
【請求項３】
前記上り品質測定部は、前記上り品質としてデータ量を測定し、前記送信可否判定部は、前記データ量が前記基準値を下回る場合に、前記上りデータを送信許可とすることを特徴とする請求項１記載の無線通信システム。
【請求項４】
無線通信を行う端末において、
ダイバーシチハンドオーバによって接続している複数の基地局から送信される信号として、前記基地局で上りデータの品質である上り品質が測定されて、前記上り品質と基準値との比較結果にもとづき生成された前記上りデータの送信可否を示す送信可否信号を受信する送信可否信号受信部と、
前記送信可否信号にもとづき、送信拒否をする基地局がないと認識した場合に限り、前記上りデータの送信を行う上りデータ送信制御部と、
を有することを特徴とする端末。
【請求項５】
無線通信を行う無線通信システムにおいて、
端末から送信される上りデータの品質である上り品質を予想する上り品質予想部と、前記上り品質の予想結果にもとづいて、前記上りデータの送信可否を判定し、送信可否信号を送信する送信可否判定部と、から構成される基地局と、
ダイバーシチハンドオーバによって接続している複数の前記基地局から送信された前記送信可否信号を受信する送信可否信号受信部と、前記送信可否信号にもとづき、送信拒否をする基地局がないと認識した場合に限り、前記上りデータの送信を行う上りデータ送信制御部と、から構成される端末と、
を有することを特徴とする無線通信システム。
【発明の詳細な説明】
【技術分野】
【０００１】
本発明は、無線通信システムに関し、特にＷ−ＣＤＭＡ（Wideband-Code Division Multiple Access）などの無線による無線通信を行う無線通信システムに関する。
【背景技術】
【０００２】
Ｗ−ＣＤＭＡ方式は、ＩＭＴ−２０００（International Mobile Telecommunications-2000）で定められた無線通信インタフェースの１つであり、最も主流の無線通信方式に位置づけられている。Ｗ−ＣＤＭＡは、最大３８４Kbpsの伝送速度により、音声、動画像、データ等のマルチメディアアクセスを可能にしている。【０００３】
また、近年になってＷ−ＣＤＭＡの技術をベースにしたＨＳＤＰＡ（High Speed Downlink Packet Access）及びＨＳＵＰＡ（High Speed Uplink Packet Access）と呼ばれる無線通信方式の研究・開発が進められている。現行のＷ−ＣＤＭＡに対して、ＨＳＤＰＡは、下り方向への高速なダウンリンクパケット伝送を行うものであり、ＨＳＵＰＡは、上り方向への高速なアップリンクパケット伝送を行うものである。ＨＳＤＰＡは３ＧＰＰリリース５（3rd Generation Partnership Project Release 5）で、ＨＳＵＰＡは３ＧＰＰリリース６で標準化が行われている。【０００４】
図１５はＷ−ＣＤＭＡの通信を示す概念図である。基地局５０と端末（ＵＥ：User Equipment）６０−１〜６０−ｎが、従来のＷ−ＣＤＭＡで通信を行う。
上りリンク（ＵＥ６０−１〜６０−ｎ→基地局５０）では、ユーザ情報であるＤＰＤＣＨ（Dedicated Physical Data CHannel）と、制御情報であるＤＰＣＣＨ（Dedicated Physical Control CHannel）とがそれぞれＱＰＳＫ（Quadrature Phase Shift Keying）変調の同相成分（Ｉ軸）と直交成分（Ｑ軸）にマッピングされて基地局５０へ送信される。【０００５】
また、下りリンク（基地局５０→ＵＥ６０−１〜６０−ｎ）では、ＤＰＤＣＨとＤＰＣＣＨは、時分割多重されてＵＥ６０−１〜６０−ｎへ送信される。なお、これらのリンクは、ＵＥ毎に個別に割り当てられる個別チャネルであり、他のＵＥとは排他的な伝送が行われる。【０００６】
図１６はＨＳＤＰＡの通信を示す概念図である。基地局５０からＵＥ６０−１〜６０−ｎへの下り伝送時にＨＳＤＰＡで通信を行う。ＵＥ６０−１〜６０−ｎはそれぞれ、基地局５０から送信されるパイロット信号ｆを受信して、ＵＥ毎に伝搬環境（受信電界強度）を測定し、測定結果をHS-DPCCH（High Speed Dedicated Physical Control CHannel）で基地局５０へ通知する。【０００７】
基地局５０は、ＵＥ６０−１〜６０−ｎから通知された伝搬環境情報にもとづいて、伝搬環境の良好な、あらかじめ決めた台数分のＵＥを優先的に選択するスケジューリングを行う。【０００８】
スケジューリングによって、ＵＥ６０−１、６０−２が選択されたとすると、ＵＥ６０−１、６０−２へスケジューリング情報（変調の種類や伝送量等が含まれる）をHS-SCCH（High Speed Shared Control CHannel）で通知する。そして、ＵＥ６０−１、６０−２は、受信したスケジューリング情報にもとづいて、自端末の機能を設定する。【０００９】
その後、基地局５０は、ＵＥ６０−１、６０−２へユーザ情報をHS-PDSCH（High Speed Physical Downlink Shared CHannel）と呼ばれる無線チャネルで伝送する。ユーザ情報を運ぶHS-PDSCHは、ＵＥ６０−１〜６０−ｎが使用できる共通チャネルであり、時分割した１つのタイムスロットを、１つのＵＥまたは複数のＵＥがShareして使用するもので、最大１４．４Mbpsの高速下りアクセスを可能にする。【００１０】
図１７はＨＳＵＰＡの通信を示す概念図である。ＵＥ６０−１〜６０−ｎから基地局５０への上り伝送時にＨＳＵＰＡで通信を行う。ＵＥ６０−１〜６０−ｎは、基地局５０へ上りデータ伝送要求としてＲＥＱ（Request）を送信する。【００１１】
基地局５０は、ＵＥ６０−１〜６０−ｎから送られた複数のＲＥＱを集計し、ＵＥ６０−１〜６０−ｎの通信品質や上りデータの優先度等にもとづいて、上り伝送を行うＵＥの送信タイミングを決めるスケジューリングを行い、ＵＥ６０−１〜６０−ｎへ上り伝送許可としてＧｒａｎｔを送信する（Grantには、absolute grantとrelative grantの２種類があり、absolute grantは、一定間隔を置いて上り伝送レートなどを通知し、relative grantは、absolute grantで通知した内容の更新情報を通知する）。【００１２】
ＵＥ６０−１〜６０−ｎは、Ｇｒａｎｔにもとづいて上り伝送を許可された端末から順番に、Ｅ−ＤＣＨ（Enhanced Dedicated CHannel）と呼ばれる個別チャネルによって、ユーザ情報を基地局５０へ伝送することで、高速上りアクセスを可能にする（Ｅ−ＤＣＨの伝送速度は、およそ２〜４Mbpsとなることが検討されている）。【００１３】
ＨＳＤＰＡ／ＨＳＵＰＡは、従来のＷ−ＣＤＭＡに対して、さらなる高速データ伝送を行う技術として大きな期待が寄せられている。ＨＳＤＰＡでは、システムとしての仕様はまとまりつつあるが、ＨＳＵＰＡに関しては、システムを実現するための仕様は現状においては検討段階である。【００１４】
ＨＳＤＰＡ／ＨＳＵＰＡの従来技術として、スケジューリングインターバルと一致するフレームサイズを含むデータをシグナリングインタフェースで受信し、受信データをスケジューリングインターバル内で伝送する技術が提案されている（例えば、特許文献１）。
【特許文献１】ＵＳ２００４／０１９６８７０Ａ１（段落番号〔００２４〕〜〔００３０〕，ＦＩＧ．２）
【発明の開示】
【発明が解決しようとする課題】
【００１５】
ＵＥのセル間移動に伴って、サービス中のセルから新しいセルにサービスを手渡すことをハンドオーバと呼び、Ｗ−ＣＤＭＡにおいては、ダイバーシチハンドオーバと呼ばれる処理が行われる。【００１６】
ダイバーシチハンドオーバは、ハンドオーバするＵＥが複数のセルと同時に接続することを特徴とし、伝送中の音声、動画像、データ等のストリームに影響を与えることがなく、無瞬断でハンドオーバを行うことが可能である（ダイバーシチハンドオーバはソフトハンドオーバとも呼ばれる）。【００１７】
上記のＨＳＵＰＡにおいてもダイバーシチハンドオーバは適用されるが、この場合、ＵＥが接続している複数の基地局では、ＨＳＵＰＡのスケジューリングがそれぞれ独立に行われ、ＵＥはそのうちの１つのスケジューリング情報しか使用できない。すると、スケジューリング情報が使用されなかった基地局にとっては、望ましくないタイミングで上り伝送が行われることになり、干渉を発生させてしまうといった問題があった。【００１８】
図１８、図１９はＨＳＵＰＡにおけるダイバーシチハンドオーバ時の問題点を説明するための図である。基地局５１〜５３は、それぞれセル５１ａ〜５３ａを有し、ＵＥ６１は、基地局５１〜５３と接続して、ダイバーシチハンドオーバを行っている。ダイバーシチハンドオーバ時に、ＵＥ６１がＨＳＵＰＡによって、上りデータを伝送する場合を考える。【００１９】
ＵＥ６１は、基地局５１〜５３へ上りデータ伝送要求を送信する。基地局５１〜５３では、自局のセル内から上がってきたＵＥ（ＵＥ６１以外のＵＥも含まれる）の上りデータ伝送要求をそれぞれ個別に集計して、個別にスケジューリングを行う。【００２０】
その結果、図１８のように、基地局５１ではＵＥ６１に対し、タイミングＴ１で上りデータを送信可能とするスケジューリング情報を生成し、基地局５２ではＵＥ６１に対し、タイミングＴ２で上りデータを送信可能とするスケジューリング情報を生成し、基地局５３ではＵＥ６１に対し、タイミングＴ３で上りデータを送信可能とするスケジューリング情報を生成したとする。基地局５１〜５３は、これらのスケジューリング情報をＵＥ６１に通知し、ＵＥ６１は、３つのスケジューリング情報を受信する。【００２１】
図１９に対し、ＵＥ６１では、タイミングＴ１〜Ｔ３のうちの１つしか使用できないので、ここではタイミングＴ１を選択して、基地局５１〜５３へ上りデータの送信を行うものとする。【００２２】
この場合、タイミングＴ１で上りデータが伝送されると、基地局５２、５３にとっては、タイミングＴ２、Ｔ３には何らデータが伝送されてこないので、基地局５２、５３は無駄なスケジューリング処理を行ったことになる。【００２３】
また、基地局５２がスケジューリングにより、タイミングＴ２で上りデータの伝送を許可したということは、それ以外のタイミングでの上りデータ伝送を禁止しているということである。したがって、タイミングＴ１で出力されたＵＥ６１からの上りデータは、基地局５１には希望波であるが、基地局５２にとっては不要な干渉波となってしまう。【００２４】
同様に、基地局５３ではタイミングＴ３での上りデータの伝送を許可しているので、タイミングＴ１で出力されたＵＥ６１からの上りデータは、基地局５３にとっては不要な干渉波となってしまう。このような干渉波が生じると、通信品質を著しく低下させることになる。【００２５】
本発明はこのような点に鑑みてなされたものであり、上り伝送におけるダイバーシチハンドオーバ時の干渉をなくして、高品質な無線通信を行う無線通信システムを提供することを目的とする。
【課題を解決するための手段】
【００２６】
本発明では上記課題を解決するために、図１に示すような、無線による無線通信を行う無線通信システム１において、端末から送信される上りデータに対し、上りデータの品質である上り品質を測定する上り品質測定部１１と、上り品質と基準値との比較結果にもとづいて、上りデータの送信可否を判定し、送信可否信号を送信する送信可否判定部１２と、から構成される基地局１０−１〜１０−ｎと、ダイバーシチハンドオーバによって接続している複数の基地局１０−１〜１０−ｎから送信された送信可否信号を受信する送信可否信号受信部２１と、送信可否信号にもとづき、送信拒否をする基地局がないと認識した場合に限り、上りデータの送信を行う上りデータ送信制御部２２と、から構成される端末２０と、を有することを特徴とする無線通信システム１が提供される。【００２７】
ここで、上り品質測定部１１は、端末から送信される上りデータに対し、上りデータの品質である上り品質を測定する。送信可否判定部１２は、上り品質と基準値との比較結果にもとづいて、上りデータの送信可否を判定し、送信可否信号を送信する。送信可否信号受信部２１は、ダイバーシチハンドオーバによって接続している複数の基地局１０−１〜１０−ｎから送信された送信可否信号を受信する。上りデータ送信制御部２２は、送信可否信号にもとづき、送信拒否をする基地局がないと認識した場合に限り、上りデータの送信を行う。
【発明の効果】
【００２８】
本発明の無線通信システムは、基地局は、上り品質を測定して、上り品質と基準値との比較結果にもとづいて、上りデータの送信可否を判定し、送信可否信号を送信する。端末は、ダイバーシチハンドオーバによって接続している複数の基地局から送信された送信可否信号を受信し、送信拒否をする基地局がないと認識した場合に限り、上りデータの送信を行う構成とした。これにより、上り伝送におけるダイバーシチハンドオーバ時の干渉をなくして、無線通信の通信品質を向上させることが可能になる。【００２９】
本発明の上記および他の目的、特徴および利点は本発明の例として好ましい実施の形態を表す添付の図面と関連した以下の説明により明らかになるであろう。
【図面の簡単な説明】
【００３０】
【図１】無線通信システムの原理図である。
【図２】無線通信システムの動作を説明するための図である。
【図３】無線通信システムの動作を説明するための図である。
【図４】物理チャネル上の特定のビットを示す図である。
【図５】上位レイヤの制御情報を用いて送信可否を伝える図である。
【図６】干渉量の概念を説明するための図である。
【図７】干渉量の概念を説明するための図である。
【図８】干渉量を測定して送信可否を判定する基地局の動作を示すフローチャートである。
【図９】ＵＥの動作を示すフローチャートである。
【図１０】データ量を測定して送信可否を判定する基地局の動作を示すフローチャートである。
【図１１】変形例の無線通信システムの原理図である。
【図１２】干渉量を予想して送信可否を判定する基地局の動作を示すフローチャートである。
【図１３】データ量を予想して送信可否を判定する基地局の動作を示すフローチャートである。
【図１４】送信電力を予想して送信可否を判定する基地局の動作を示すフローチャートである。
【図１５】Ｗ−ＣＤＭＡの通信を示す概念図である。
【図１６】ＨＳＤＰＡの通信を示す概念図である。
【図１７】ＨＳＵＰＡの通信を示す概念図である。
【図１８】ＨＳＵＰＡにおけるダイバーシチハンドオーバ時の問題点を説明するための図である。
【図１９】ＨＳＵＰＡにおけるダイバーシチハンドオーバ時の問題点を説明するための図である。
【発明を実施するための最良の形態】
【００３１】
以下、本発明の実施の形態を図面を参照して説明する。図１は無線通信システムの原理図である。無線通信システム１は、基地局１０−１〜１０−ｎ（総称する場合は基地局１０）と端末２０から構成されて、無線による無線通信を行うシステムである。【００３２】
基地局１０−１〜１０−ｎは、上り品質測定部１１と送信可否判定部１２から構成される。上り品質測定部１１は、端末から送信される上りデータに対し、上りデータの品質である上り品質を測定する（後述するように、上り品質としては、例えば、干渉量やデータ量などがある）。送信可否判定部１２は、上り品質と基準値との比較結果にもとづいて、上りデータの送信可否を判定し、送信可否信号を送信する。【００３３】
端末（以下、ＵＥ）２０は、送信可否信号受信部２１と上りデータ送信制御部２２から構成される。送信可否信号受信部２１は、ダイバーシチハンドオーバによって接続している複数の基地局１０−１〜１０−ｎから送信された送信可否信号を受信する。上りデータ送信制御部２２は、送信可否信号にもとづき、送信拒否をする基地局がないと認識した場合に限り、上りデータの送信を行う。【００３４】
次に無線通信システム１の動作について説明する。図２、図３は無線通信システム１の動作を説明するための図である。基地局１０−１〜１０−３は、それぞれセル１０１〜１０３を有し、ＵＥ２０は、基地局１０−１〜１０−３と接続して、ダイバーシチハンドオーバを行っている。ダイバーシチハンドオーバ時に、ＵＥ２０が上りデータを伝送する場合を考える。【００３５】
ＵＥ２０は、基地局１０−１〜１０−３へ上りデータ伝送要求を送信する。基地局１０−１〜１０−３では、自局のセル内から上がってきたＵＥ（ＵＥ２０以外のＵＥも含まれる）の上りデータ伝送要求をそれぞれ個別に集計して、個別にスケジューリングを行う。【００３６】
このとき、基地局１０−１〜１０−３それぞれの上り品質測定部１１は、スケジューリング時に、各セル内の上り品質を測定する。また、送信可否判定部１２は、上り品質測定結果と、あらかじめ設定した基準値とを比較し、比較結果から上りデータの送信可否を判定する。そして、高速上りデータ伝送サービスを享受する対象ＵＥ（ここではＵＥ２０とする）へ、各基地局１０−１〜１０−３から送信可否信号ｍ１〜ｍ３を送信する。【００３７】
図３に対し、ＵＥ２０の送信可否信号受信部２１は、送信可否信号ｍ１〜ｍ３を受信する。上りデータ送信制御部２２は、送信可否信号ｍ１〜ｍ３がすべて送信可であれば、上りデータの送信を行い、送信可否信号ｍ１〜ｍ３の１つでも送信不可のものがあれば、上りデータの送信は行わない。【００３８】
上記の動作はＨＳＵＰＡに適用可能であり、この場合、上りデータはＥ−ＤＣＨとなる。また、上りデータ送信制御部２２の動作として、送信可否信号にもとづき、送信拒否をする基地局がないと認識した場合に限り、Ｅ−ＤＣＨの送信を行い、送信拒否をする基地局が１つでもあると認識した場合は、ＨＳＵＰＡの通信サービスを使用せずに、Ｗ−ＣＤＭＡの通信サービスに切り替えて上りデータを送信することも可能である。【００３９】
次に送信可否信号の通知形態について説明する。送信可否判定部１２は、送信可否信号をＵＥへ送信する場合、共通チャネルを用いて、すべてのＵＥへ通知してもよいし、または個別チャネルを用いて、ＵＥ毎に通知してもよい。また、通知方法としては、物理チャネル上の特定のビットを用いる方法と、上位レイヤの制御情報を用いる方法がある。【００４０】
図４は物理チャネル上の特定のビットを示す図である。無線フレームのヘッダ内の空きフィールドを利用して、送信可否の情報を通知する。送信の可否のみを伝えるので１ビットあれば実現可能である。【００４１】
図５は上位レイヤの制御情報を用いて送信可否を伝える図である。ＵＥ２０が基地局１０−１〜１０−３へ上りデータ伝送要求を送信すると、基地局１０−１〜１０−３では、上り品質測定を含むスケジューリングを行い、各基地局から送信可否通知として制御情報（Ｇｒａｎｔに該当）をＵＥ２０へ送信する。ＵＥ２０は、すべて送信可なら上りデータを送信する。【００４２】
次に上り品質として干渉量を測定する場合の動作について説明する。最初に干渉量について説明する。図６、図７は干渉量の概念を説明するための図である。縦軸は電力、横軸は周波数である。【００４３】
ＣＤＭＡでは、デジタル信号を拡散コードによって元の信号より広い帯域に拡散して送信し、受信側で同じ拡散コードによって元のデジタル信号を復元するスペクトル拡散通信が行われている。【００４４】
基地局１０の受信動作として、図６のように、受信した拡散信号ｄ１に対して、拡散コードによって逆拡散を施して、所望のデータｄ１ａを取得するが、実際には多数の拡散信号がエア中を飛んでいるため、基地局１０では図７に示すような、多数の拡散信号が重畳された拡散信号Ｄに１つの拡散コードを掛けて、所望のデータｄ１ａを取得することになる。【００４５】
この場合、拡散信号Ｄの電力ピーク値と、復元した際のデータｄ１ａの電力ピーク値との差分はＳＩＲ（Signal-to-Interference Ratio）となり、このＳＩＲが一定値以上ないと、拡散信号Ｄから特定の復元データｄ１ａを精度よく得ることができない。【００４６】
すなわち、拡散信号Ｄの電力幅は、基地局１０に対して干渉量であり、この干渉量が一定範囲内に収まっていないと、精度のよいスペクトル拡散通信を行うことができない。したがって、基地局１０では、上り品質の１つのパラメータとして、干渉量を測定して、測定結果にもとづき、上りデータの送信可否の決定を行うものである。【００４７】
図８は干渉量を測定して送信可否を判定する基地局１０の動作を示すフローチャートである。なお、基地局１０−１〜１０−ｎをＢＳｉ（ｉ＝１、２、・・・）とし、Ｎをダイバーシチハンドオーバ中のＢＳの数とする。【００４８】
〔Ｓ１〕ｉ＝１と設定する。
〔Ｓ２〕ＢＳｉの上り品質測定部１１は、自局セル内の干渉量を測定する。
〔Ｓ３〕ＢＳｉの送信可否判定部１２は、干渉量と基準値を比較する。基準値以下ならステップＳ４へ、基準値を超えていればステップＳ７へいく。【００４９】
〔Ｓ４〕ｉをインクリメントする。
〔Ｓ５〕ＢＳｉの送信可否判定部１２は、ｉ≦Ｎか判断する。ｉ≦ＮならステップＳ２へ戻り、ｉ＞ＮならステップＳ６へいく。【００５０】
〔Ｓ６〕ＢＳｉの送信可否判定部１２は、送信可否信号として送信可を通知する。
〔Ｓ７〕ＢＳｉの送信可否判定部１２は、送信可否信号として送信不可を通知する。
図９はＵＥ２０の動作を示すフローチャートである。上りデータ送信制御部２２の動作フローを示している。【００５１】
〔Ｓ１１〕ｉ＝１と設定する。
〔Ｓ１２〕ＢＳｉから送信された送信可否信号にもとづき、ＢＳｉへ上りデータを送信可能か否か判断する。送信可ならステップＳ１３へ、送信不可ならステップＳ１６へいく。【００５２】
〔Ｓ１３〕ｉをインクリメントする。
〔Ｓ１４〕ｉ≦Ｎか判断する。ｉ≦ＮならステップＳ１２へ戻り、ｉ＞ＮならステップＳ１５へいく。【００５３】
〔Ｓ１５〕上りデータ送信制御部２２は、上りデータを送信する。
〔Ｓ１６〕上りデータ送信制御部２２は、上りデータの送信を行わない。
次に上り品質としてデータ量（ＵＥ２０の上りデータ量）を測定する場合の動作について説明する。図１０はデータ量を測定して送信可否を判定する基地局１０の動作を示すフローチャートである。なお、ＵＥ２０の動作は図９と同じである。【００５４】
〔Ｓ２１〕ｉ＝１と設定する。
〔Ｓ２２〕ＢＳｉの上り品質測定部１１は、データ量を測定する（ＵＥ２０から送信される上りデータ伝送要求中に、送信したい上りデータのデータ量が含まれており、あらかじめ基地局へ通知されている）。【００５５】
〔Ｓ２３〕ＢＳｉの送信可否判定部１２は、データ量と基準値を比較する。基準値以下ならステップＳ２４へ、基準値を超えていればステップＳ２７へいく（データ量が基準値を超えていれば、上りデータ送信制御の処理負荷が重くなるとみなす）。【００５６】
〔Ｓ２４〕ｉをインクリメントする。
〔Ｓ２５〕ＢＳｉの送信可否判定部１２は、ｉ≦Ｎか判断する。ｉ≦ＮならステップＳ２２へ戻り、ｉ＞ＮならステップＳ２６へいく。【００５７】
〔Ｓ２６〕ＢＳｉの送信可否判定部１２は、送信可否信号として送信可を通知する。
〔Ｓ２７〕ＢＳｉの送信可否判定部１２は、送信可否信号として送信不可を通知する。
次に無線通信システム１の変形例について説明する。図１の無線通信システム１では、測定した上り品質の値から上りデータの送信可否を決定したが、変形例の場合は、現在認識している上り品質に対し、次に上りデータが送信された場合には、どのような上り品質になるかを予想して、予想結果にもとづき、上りデータの送信可否の決定を行うものである。【００５８】
図１１は変形例の無線通信システムの原理図である。無線通信システム１ａは、基地局１０ａ−１〜１０ａ−ｎとＵＥ２０から構成される。基地局１０ａは、上り品質予想部１１ａと送信可否判定部１２ａから構成される（なお、ＵＥ２０は図１と同じ構成なので説明は省略する）。【００５９】
上り品質予想部１１ａは、端末から送信される上りデータの品質である上り品質を予想する。送信可否判定部１２ａは、上り品質の予想結果にもとづいて、上りデータの送信可否を判定し、送信可否信号を送信する。【００６０】
次に上り品質として干渉量、データ量、送信電力（ＵＥ側の上り送信電力）を予想する場合の動作についてそれぞれ説明する。図１２は干渉量を予想して送信可否を判定する基地局１０ａの動作を示すフローチャートである。なお、基地局１０ａ−１〜１０ａ−ｎをＢＳｉ（ｉ＝１、２、・・・）とし、Ｎをダイバーシチハンドオーバ中のＢＳの数とする。【００６１】
〔Ｓ３１〕ｉ＝１と設定する。
〔Ｓ３２〕ＢＳｉの上り品質予想部１１ａは、現在の自局セル内の干渉量を認識し、高速上りデータ伝送サービスの対象ＵＥの優先順位を選ぶスケジューリング処理により、次の上りデータ送信制御を行う時点での干渉量がどの程度になるかを予想する。【００６２】
〔Ｓ３３〕ＢＳｉの送信可否判定部１２ａは、予想干渉量と基準値を比較する。基準値以下ならステップＳ３４へ、基準値を超えていればステップＳ３７へいく。
〔Ｓ３４〕ｉをインクリメントする。【００６３】
〔Ｓ３５〕ＢＳｉの送信可否判定部１２ａは、ｉ≦Ｎか判断する。ｉ≦ＮならステップＳ３２へ戻り、ｉ＞ＮならステップＳ３６へいく。
〔Ｓ３６〕ＢＳｉの送信可否判定部１２ａは、送信可否信号として送信可を通知する。【００６４】
〔Ｓ３７〕ＢＳｉの送信可否判定部１２ａは、送信可否信号として送信不可を通知する。
図１３はデータ量を予想して送信可否を判定する基地局１０ａの動作を示すフローチャートである。【００６５】
〔Ｓ４１〕ｉ＝１と設定する。
〔Ｓ４２〕ＢＳｉの上り品質予想部１１ａは、スケジューリング処理により、次の上りデータ送信制御を行う時点での上りデータのデータ量がどの程度になるかを予想する。【００６６】
〔Ｓ４３〕ＢＳｉの送信可否判定部１２ａは、予想データ量と基準値を比較する。基準値以下ならステップＳ４４へ、基準値を超えていればステップＳ４７へいく。
〔Ｓ４４〕ｉをインクリメントする。【００６７】
〔Ｓ４５〕ＢＳｉの送信可否判定部１２ａは、ｉ≦Ｎか判断する。ｉ≦ＮならステップＳ４２へ戻り、ｉ＞ＮならステップＳ４６へいく。
〔Ｓ４６〕ＢＳｉの送信可否判定部１２ａは、送信可否信号として送信可を通知する。【００６８】
〔Ｓ４７〕ＢＳｉの送信可否判定部１２ａは、送信可否信号として送信不可を通知する。
図１４は送信電力を予想して送信可否を判定する基地局１０ａの動作を示すフローチャートである。【００６９】
〔Ｓ５１〕ｉ＝１と設定する。
〔Ｓ５２〕ＢＳｉの上り品質予想部１１ａは、スケジューリング処理により、次の上りデータ送信制御を行う時点でのＵＥの上りデータの送信電力がどの程度になるかを予想する。【００７０】
なお、ＵＥの送信電力は、例えば、ＳＣＨ（Synchronization CHannel）には何％、ＤＣＨ（Dedicated CHannel）には何％、ＨＳＵＰＡには何％というように、電力が配分されており、ＨＳＵＰＡを実行する際に必要な電力は、上りデータ伝送要求に乗せられて、基地局へあらかじめ通知されるものである。【００７１】
〔Ｓ５３〕ＢＳｉの送信可否判定部１２ａは、予想送信電力と基準値を比較する。基準値以下ならステップＳ５４へ、基準値を超えていればステップＳ５７へいく（基準値を超えていれば通信に影響を与える干渉を引き起こすものとみなす）。【００７２】
〔Ｓ５４〕ｉをインクリメントする。
〔Ｓ５５〕ＢＳｉの送信可否判定部１２ａは、ｉ≦Ｎか判断する。ｉ≦ＮならステップＳ５２へ戻り、ｉ＞ＮならステップＳ５６へいく。【００７３】
〔Ｓ５６〕ＢＳｉの送信可否判定部１２ａは、送信可否信号として送信可を通知する。
〔Ｓ５７〕ＢＳｉの送信可否判定部１２ａは、送信可否信号として送信不可を通知する。【００７４】
以上説明したように、本発明によれば、効率的な上りデータ送信が実現可能となり、スループットの向上が期待できる。また、基地局にとって不要な干渉を低減することが可能となり、通信品質の向上を図ることが可能になる。【００７５】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７６】
１  無線通信システム
１０、１０−１〜１０−ｎ  基地局
１１  上り品質測定部
１２  送信可否判定部
２０  端末
２１  送信可否信号受信部
２２  上りデータ送信制御部
【図１】
0004346661.tif 000002
【図２】
0004346661.tif 000003
【図３】
0004346661.tif 000004
【図４】
0004346661.tif 000005
【図５】
0004346661.tif 000006
【図６】
0004346661.tif 000007
【図７】
0004346661.tif 000008
【図８】
0004346661.tif 000009
【図９】
0004346661.tif 000010
【図１０】
0004346661.tif 000011
【図１１】
0004346661.tif 000012
【図１２】
0004346661.tif 000013
【図１３】
0004346661.tif 000014
【図１４】
0004346661.tif 000015
【図１５】
0004346661.tif 000016
【図１６】
0004346661.tif 000017
【図１７】
0004346661.tif 000018
【図１８】
0004346661.tif 000019
【図１９】
0004346661.tif 000020